【手続補正書】
【提出日】平成20年6月9日(2008.6.9)
【手続補正１】
【補正対象書類名】特許請求の範囲
【補正対象項目名】全文
【補正方法】変更
【補正の内容】
【特許請求の範囲】
【請求項１】
発光する第１光学素子を受け入れる構造を有するベースと、
偏心アセンブリを受け入れる貫通孔を有する第１偏心素子であって、
（ａ）第２光学素子を受け入れるための構造を有し、第２取付手段を介して前記第２光学素子に取り付けられる第２偏心素子、および
（ｂ）前記第２偏心素子の貫通孔に保持され、前記第２光学素子とともに、前記偏心アセンブリのための固定光軸を形成するレンズを含むところの第１偏心素子とを備える位置合わせシステムであって、
前記第１偏心素子は第１取付手段を介して前記ベースと係合しており、
前記第１光学素子と前記偏心アセンブリの前記固定光軸の間の光学的位置合わせは、前記偏心素子のうちの少なくとも１つを前記ベースに対して回転させて調整することで実現され、
位置合わせシステム全体の光学的位置合わせは２軸以下の調整で実現される、位置合せシステム。
【請求項２】
前記第１光学素子はレーザダイオードであり、前記第２光学素子は光ファイバである、請求項１記載の位置合せシステム。
【請求項３】
前記第１光学素子は、光ファイバ、レーザダイオード、光ファイバを含むファイバーフェルール、ＬＥＤ、レンズと光ファイバの組み合わせ、ミラーと光ファイバの組み合わせ、およびこれらの組合せからなる群より選択される、請求項１記載の位置合せシステム。
【請求項４】
前記第２光学素子は、光ファイバ、レーザダイオード、光ファイバを含むファイバーフェルール、ＬＥＤ、レンズ、ミラー、光センサチップ、ホログラフィック光素子、およびこれらの組合せからなる群より選択される、請求項１記載の位置合せシステム。
【請求項５】
前記ベースの構造および前記第２偏心素子は、貫通孔、ミラー、光センサチップ、ホログラフィック光検出器、およびこれらの組合せからなる群より選択される、請求項１記載の位置合せシステム。
【請求項６】
前記ベースは温度センサをさらに含む、請求項１記載の位置合せシステム。
【請求項７】
前記ベースは電子冷却装置をさらに含む、請求項１記載の位置合せシステム。
【請求項８】
前記第１接着手段は、クランプ、接着、溶接、はんだ付け、圧力およびこれらの組合せからなる群より選択される、請求項１記載の位置合せシステム。
【請求項９】
前記ベース、前記第１偏心素子、および前記偏心アセンブリはすべて、単一の機械的クランプ機構によって固定される、請求項１記載の位置合せシステム。
【請求項１０】
前記第１取付手段は、位置合せシステムを位置合せした状態に保持し、前記第１偏心素子にクランプ圧をかける外部機構である、請求項１記載の位置合せシステム。
【請求項１１】
前記位置合せシステムが位置合せされると、前記ベース、前記光学素子、前記第１偏心素子、および前記偏心アセンブリはすべて位置合せされた場所に確実にロックされて、ピグテールアセンブリとなる、請求項１記載の位置合せシステム。
【請求項１２】
前記ベース、前記第１偏心素子および前記第２偏心素子は、金属、合金鋼、アルミニウム、真ちゅう、セラミック、ガラス充填されたエポキシ、プラスチック、およびこれらの組合せからなる群より選択される材料から作られる、請求項１記載の位置合せシステム。
【請求項１３】
前記第１偏心素子および前記第２偏心素子は、きざみ仕上げ、サンドブラストオーバーレイ、レンチ用のファセット、ポリマーオーバーレイおよびこれらの組合せを含む群から選択される把持手段を含む、請求項１記載の位置合せシステム。
【請求項１４】
前記第２取付手段は、前記第２偏心素子の外径のネジ山と係合するナットである、請求項１記載の位置合せシステム。
【請求項１５】
前記ナットは、両端にファイバーフェルールを備えたパッチコード上にナットの配置を可能とするスプリットセクションを有する、請求項１４記載の位置合せシステム。
【請求項１６】
前記第２偏心素子の貫通孔は前記レンズと係合する径が狭まった部分を有する、請求項１記載の位置合せシステム。
【請求項１７】
前記レンズはボールレンズである、請求項１記載の位置合わせシステム。
【請求項１８】
位置合せシステムであって、
発光する第１光学素子を受け入れる第１貫通孔を有するベースと、
第２光学素子を受け入れる第３貫通孔を有する第２偏心素子を含む偏心アセンブリを受け入れる第２貫通孔を有する第１偏心素子とを含み、
前記第１偏心素子は外側のリップ部と内面のリップ部を含み、
前記第２貫通孔は、第１セクション、第２セクション、第３セクションを有し、
前記第３セクションの軸は、前記第２セクションの軸に対して偏心しており、
前記第２セクションの軸は、前記第１セクションの軸に対して偏心しており、
前記第１偏心素子は第１取付手段を介して前記ベースと係合しており、前記第１取付手段は、
前記ベース上の外側のリップ部と、前記第１セクションが係合する高くしたカラー部と、
少なくとも２つの貫通孔を有するクランプワッシャとを有し、
前記クランプワッシャの外部エッジは前記高くした外側のリップ部を係合し、前記クランプワッシャの内部エッジは前記外側のリップ部を係合するものであって、前記クランプワッシャは前記外部エッジと前記内部エッジとの間に支持されない領域を含むものであり、
前記第１偏心素子が前記ベースに取り付けられるように、前記クランプワッシャにクランプ圧をかける、クランプワッシャの貫通孔を貫通するクランプボルトとを有し、
前記第１セクションは、前記高くしたカラー部の外径と係合する内径を有し、また、前記高くしたカラー部と前記第１セクションの間には、物理的結合を生成するように十分な機械的な重なり合いがあり、
前記第２セクションは、前記偏心アセンブリの外面と係合する内径を有し、
前記第３セクションは、前記偏心アセンブリの一部が貫通できる内径を有し、
前記偏心アセンブリは、第２光学素子を受け入れる第３貫通孔を有する第２偏心素子と、前記第３貫通孔内に保持されるレンズとを備え、
前記第２光学素子および前記レンズは前記偏心アセンブリに対しての固定光軸を形成し、
前記第２偏心素子はナットを介して前記第２光学素子に取り付けられており、前記ナットは前記第２偏心素子の外径のネジ山と係合するものであり、
前記第２偏心素子はさらに、前記第１貫通孔内部にはまって係合するノーズ部を備え、
前記ノーズ部は、前記第２セクションと係合する外径を持つ第１ノーズセクションと、前記第２貫通孔を通り抜けて内部表面リップと係合する外径を持つ第２ノーズセクションとを有し、
前記第１光学素子と偏心アセンブリの第１固定光軸との光学的位置合せは、前記偏心素子のうちの少なくとも１つを前記ベースに対して回転させて調整することで実現され、
位置合わせシステム全体の位置合わせは２軸以下の調整で実現される、位置合せシステム。
【請求項１９】
前記レンズはボールレンズであり、前記ボールレンズは保持リングによって前記第３貫通孔に保持される、請求項１８記載の位置合わせシステム。
【請求項２０】
前記高くしたカラー部および前記外部エッジは両方、互いに係合できるネジ山を有する、請求項１８記載の位置合せシステム。
【請求項２１】
位置合せプロセスにおける最大の横方向のオフセットは、前記第１貫通孔の側面に前記ノーズ部を到達させないようにされている、請求項１８記載の位置合せシステム。
【請求項２２】
前記第１偏心素子および前記第２偏心素子は、がたつきなしに、前記高くしたカラー部上を自由に回転できる、請求項１８記載の位置合せシステム。
【請求項２３】
前記第１光学素子はレーザーダイオードであり、前記第２光学素子は光ファイバである、請求項１８記載の位置合わせシステム。
【請求項２４】
コンポーネントの組を位置合せする方法であって、
位置合せシステムを提供するステップであって、前記位置合わせシステムは、
（ａ）発光する第１光学素子を受け入れる構造を有するベース、および、
（ｂ）偏心アセンブリを受け入れる貫通孔を有する第１偏心素子であって、
（ｉ）第２光学素子を受け入れるための構造を有し、第２取付手段を介して前記第２光学素子に取り付けられる第２偏心素子、および
（ｉｉ）前記第２偏心素子の貫通孔に保持され、前記第２光学素子とともに、前記偏心アセンブリのための固定光軸を形成するレンズ
を含む第１偏心素子とを備える位置合わせシステムであって、
前記第１偏心素子は第１取付手段を介して前記ベースと係合しており、
前記第１光学素子と前記偏心アセンブリの前記固定光軸の間の光学的位置合わせは、前記偏心素子のうちの少なくとも１つを前記ベースに対して回転させて調整することで実現され、
位置合わせシステム全体の光学的位置合わせは２軸以下の調整で実現されるところのステップと、
前記偏心素子のうちの少なくとも１つを前記ベースに対して回転させて調整することで前記位置合せシステムを位置合せするステップとを含む、方法。
【請求項２５】
前記方法は、単一モード光ファイバ、複数モード光ファイバ、レーザダイオード、ＬＥＤ、電球、レンズ、センサ、ホログラフィック光学素子、回折光学素子、回折アパーチャ、直線アレイ、エリアアレイ、位置敏感検出器、単一素子検出器、およびこれらの組合せなどの群より選択されるコンポーネントを位置合せするために用いられる、請求項２４記載の方法。
【請求項２６】
ベース、第１光学素子、第２光学素子、および偏心アセンブリを提供するステップであって、
（ａ）前記ベースは前記第１光学素子を受け入れる構造を備えており、
（ｂ）前記第１偏心素子は前記偏心アセンブリを受け入れる貫通孔を備えており、
（ｃ）前記偏心アセンブリはレンズと、前記第２光学素子を受け入れる構造を有する第２偏心素子とを備えており、
（ｄ）前記レンズは前記第２偏心素子貫通孔に保持されており、
（ｅ）前記第２光学素子および前記レンズは前記偏心アセンブリのための固定光軸を形成するところのステップと、
第１取付手段を介して前記第１偏心素子に前記ベースを取り付けるステップと、
第２取付手段を介して前記第２光学素子に前記偏心アセンブリを取り付けるステップと、
前記第１偏心素子を前記偏心アセンブリに接続するステップとを含み、
前記第１光学素子と前記偏心アセンブリの前記固定光軸の間の光学的位置合わせは、前記偏心素子のうちの少なくとも１つを前記ベースに対して回転させて調整することで実現され、
位置合わせシステム全体の光学的位置合わせは２軸以下の調整で実現される
、請求項１記載の位置合せシステムの形成方法。